(57)【要約】      （修正有）【課題】スマートフォンを片方の手に持って操作する場合に、スマートフォンを持った片方の手の指での操作が可能となり、電車やバスなどに立って乗車した際に、片方の手でつり革や手すりを握り、もう片方の手でスマートフォンの操作が可能となることで、利便性の向上が期待でき、加えて、車内での転倒事故等の発生を改善できる、スマートフォン並びに表示操作部を有した携帯型通信端末機を提供する。【解決手段】スマートフォンの表示操作部を正面とした場合、スマートフォンの正面表示操作部を目視できる形で、スマートフォンを片方の手で持ったとき、スマートフォンを持った片方の手の可動可能な指６の可動範囲内や特性を考慮して、スマートフォン背面側に正面表示操作部と同等または類似した操作機能を有する操作部２を設置した。【選択図】図２
0003210450.tif 000002
【実用新案登録請求の範囲】
【請求項１】
スマートフォン並びに表示操作部を有した携帯型通信端末機において、表示操作部を正面とした場合、スマートフォン並びに表示操作部を有した携帯型通信端末機の背面側にも正面の表示操作部と同等もしくは類似した操作機能を有した操作部を設け、スマートフォン並びに表示操作部を有した携帯型通信端末機を片方の手で持った手の指で、適切かつ確実で滑らかに、操作することが可能となることを特徴とした、スマートフォン並びに表示操作部を有した携帯型通信端末機。
【考案の詳細な説明】
【技術分野】
【０００１】  本考案は、スマートフォン並びに表示操作部を有した携帯型通信端末機の操作に関するものである。
【背景技術】
【０００２】  近年、携帯通信機器として、携帯電話機に変わって表示機能に操作機能を一体としたスマートフォンが多数を占めてきた。このスマートフォンは、表示操作部に表示される内容を目視して表示操作部に対して、指などで叩く、押す、なぞるなどの操作を実行することでスマートフォンを機能させることが一般的である。
【考案の概要】
【考案が解決しようとする課題】
【０００３】  近年、携帯通信機器として、携帯電話機に変わって表示機能に操作機能を一体にしたスマートフォンが多数を占めてきた。このスマートフォンは、表示操作部に表示される内容を目視して表示操作部に対して、指などで叩く、押す、なぞるなどの動作を実行することで、スマートフォンが機能する為、スマートフォンを手に持った状態で操作する場合には片手でスマートフォンを持ち、もう一方の片手の指などで表示操作部を叩く、押す、なぞるなどの動作をすることで、スマートフォンの操作が容易になり短時間で、滑らかな操作が実現できるのが現状である。つまり、スマートフォンを適切かつ確実で滑らかに操作するには、両方の手を使う方が適切で容易である為に、片手に荷物を持った状態や電車に立って乗車した場合など、片方の手が十分に使えない状態においては、スマートフォンの操作を適切かつ確実で滑らかに行えないという問題がある。
【課題を解決するための手段】
【０００４】  本考案は、スマートフォンにおいて表示操作部（１）を正面（図１）（Ａ）とした場合スマートフォンの背面側（図１）（Ｃ）（３）にも、正面の表示操作部の操作機能と同等もしくは類似した操作機能を有した操作部（２）を設け、スマートフォンを持った片方の手の指（図２）（図３）（６）で操作を可能とすることを特徴とした、スマートフォンである。なお、スマートフォンを片方の手で持った場合、可動可能となる指の可動範囲は、正面側の表示操作部の範囲と同等とはならないことがある。この場合は、操作をすることが可能となる指の可動範囲に対して、スマートフォンの背面側に設置する操作部の位置や大きさを考慮するものである。また、スマートフォン背面側に設置する操作部の大きさや操作を実行する指の特性などから、正面の表示操作部の操作機能と同等の機能を有することが困難となる場合などは、正面側の表示操作部の操作機能から、抜粋した部分操作機能や類似した操作機能を有した背面側操作部として配置しても、スマートフォンを持った片方の手の指で、操作を実行することには有効である。例として、背面側の操作部の機能としては、表示画面の描画の上下方向の送り並びに戻しの機能、表示画面の描画の左右方向の送り並びに戻しの機能、表示画面の描画の拡大並びに縮小の機能、表示画面に描画される各種のスイッチを押す機能、表示画面の初期描画画面に戻る機能、背面側に設置した操作部を有効にする、もしくは無効にする機能などが考えられる。
【考案の効果】
【０００５】  上記のような構造のスマートフォンを片方の手に持ち操作をする場合、スマートフォンを持つ手の指の少なくても、２本の指の概ね人差し指と中指がスマートフォンの背面側で可動できる状況にあるので、スマートフォンの正面の表示操作部の表示を目視しながら、背面側に設置した操作部に対してスマートフォンの要求する操作が実行可能となり、スマートフォンの操作に両手を必要としない状況が実現可能である。特に、電車やバスなどに立って乗車する場合などにおいて、片方の手で電車やバスのつり革や手すりを持ち、もう片方の手でスマートフォンの操作が可能となり、利便性の向上が期待できる。加えて、車内での転倒事故等の発生を改善できる。
【図面の簡単な説明】
【０００６】
【図１】  この考案の実施形態に係るスマートフォンの背面側にも正面の表示操作部の操作機能と同等もしくは類似する操作機能を有する操作部を設置したスマートフォンの図面であり、（Ａ）は正面図、（Ｂ）は側面図、（Ｃ）は背面図である。
【図２】  スマートフォンを右手に持ち右手の人差し指で、スマートフォンの背面側に設置した操作部を操作している概略斜視図である。
【図３】  スマートフォンを左手に持ち左手の人差し指で、スマートフォンの背面側に設置した操作部を操作している概略斜視図である。
【０００７】  本考案の最良の実施形態を説明する。
スマートフォンにおいて表示操作部（１）を正面（図１）（Ａ）とした場合に、スマートフォンの背面側（図１）（Ｃ）（３）にも、正面の表示操作部の操作機能と同等もしくは類似した操作機能を有した操作部（２）を設け、スマートフォンを持った片方の手の指（図２）（図３）（６）で操作を可能とすることを構造並びに形状とした、スマートフォンとする。【０００８】  なお、スマートフォンを片方の手で持った場合、可動可能となる指（６）の可動範囲は正面側の表示操作部（１）の範囲と同等とはならないことがある。この場合は、操作をすることが可能となる指（６）の可動範囲に対して、スマートフォンの背面側（図１）（Ｃ）（３）に設置する操作部（２）の位置や大きさを考慮した構造並びに形状とした、スマートフォンとする。【０００９】  また、スマートフォン背面側（図１）（Ｃ）（３）に設置する操作部の大きさや操作を実行する指（６）の特性などから、正面の表示操作部（１）の操作機能と同等の機能を有することが困難となる場合などは、正面側の表示操作部（１）の操作機能から、抜粋した部分操作機能や類似した操作機能を有した背面側操作部（２）として配置して、スマートフォンを持った片方の手の指（６）で操作を実行可能となる、スマートフォンとする。【００１０】  例として、スマートフォン背面側（図１）（Ｃ）（３）に設置する操作部の機能としては、正面表示操作部（１）に表示される描画の上下方向の送り並びに戻しの機能、正面表示操作部（１）に表示される描画の左右方向の送り並びに戻しの機能、正面表示操作部（１）に表示される描画の拡大並びに縮小の機能、正面表示操作部（１）に表示される描画の各種のスイッチを押す機能、正面表示操作部（１）に表示される描画の初期描画画面に戻る機能、スマートフォン背面側（図１）（Ｃ）（３）に設置した操作部（２）を有効にする、または無効にする機能などの操作が可能となることで、利便性の向上が期待できる。
【符号の説明】
【００１１】  １  スマートフォン正面の表示操作部
２  スマートフォン背面側の正面の表示操作部と同様もしくは類似した機能を有する背      面側に設置した操作部
３  右手で持ったスマートフォンの背面側
４  左手で持ったスマートフォンの背面側
５  カメラのレンズ
６  スマートフォンを片方の手で持った状態において、スマートフォンの背面側で可動      可能となる指（概ねは、人差し指と中指）
【図１】
0003210450.tif 000003
【図２】
0003210450.tif 000004
【図３】
0003210450.tif 000005